(57)【特許請求の範囲】
【請求項１】
振り子式錘（１１８）の揺動により地震を感知する地震感知装置（１００）と、引き戸の錠に設けられた解錠装置（３００）と、地震感知装置（１００）と解錠装置（３００）とを連結ワイヤー（２２１）を経由して連結する連結装置（２００）、とで構成された地震発生時に引き戸の錠をバネの張力により自動的に解錠する地震時自動解錠システム（１）において、
前記地震感知装置（１００）は、振り子式錘（１１８）の振幅により地震感知をすると、係止されていたストッパー（１０７）がストッパーアーム（１０８）から開放され、駆動バネ（１０４）により付勢された回転板（１０２）が回転することにより、前記連結装置（２００）の連結ワイヤー（２２１）を引っ張るように構成し、
前記連結装置（２００）は、前記引っ張られた連結ワイヤー（２２１）に連結した固定連結部（２１０）のＬ型アーム（２１１）の一端のアームが、Ｌ型アーム軸（２１２）を中心に反時計回りに回転し、当該回転したＬ型アーム（２１１）の他端のアーム上に設けられた引き上げローラ（２１３）が、摺動接触するスライド連結部（２５０）の引き上げ板（２５２）を上方へ持ち上げることにより解錠ワイヤー（２５３）を引き上げるように構成し、
前記解錠装置（３００）は、前記引き上げられた解錠ワイヤー（２５３）が連結されており、前記地震感知装置（１００）の駆動バネ（１０４）の復元力が当該連結された解錠ワイヤーを介して伝達されることにより、サムターン（３０５）を回転させ、錠（３０１）のフック（３０６）が連動して回動することで係合穴（３０７）から解放されて解錠するように構成し、
更に引き戸と戸当り柱の間隙に規制板（２３０）を設け、前記地震感知装置（１００）を地震を感知することができる地震感知モードにセットせずに引き戸を閉鎖した場合は、前記回転板（１０２）に連結した連結ワイヤー（２２１）と一端で連結したL型アーム（２１１）をL型アーム軸（２１２）を回転軸として回転させて、L型アーム（２１１）の他端に連結したL型アームバネ（２１４）を引っ張り、該L型アームバネ（２１４）に連結した規制板（２３０）を規制板軸（２３１）を回転軸として水平方向まで回動させることで、規制板（２３０）が引き戸の閉鎖を規制し、
一方では地震感知装置（１００）を地震感知モードにセットした場合は、前記L型アームバネ（２１４）の張力を解放し、該L型アームバネ（２１４）に連結した規制板（２３０）を規制板軸（２３１）を回転軸として垂直方向まで回動させることで、引き戸の閉鎖を許容するように構成されたことを特徴とする地震時自動解錠システム（１）。
【請求項２】
地震感知装置（１００）の前記地震感知モードは、回転板（１０２）に固着されたセットハンドル（１２７）をストッパーアーム（１０８）がストッパー（１０７）と係合するまで手動回転させ、駆動バネ（１０４）を付勢して地震感知モードにセットできるように構成されたことを特徴とする請求項１記載の地震時自動解錠システム（１）。
【請求項３】
地震感知装置（１００）の前記地震感知モードは、連結装置（２００）のセット吊輪（２１４）を下方へ引っ張ることで、該セット吊輪（２１４）と一端で連結したL型アーム（２１１）をL型アーム軸（２１２）を回転軸として回転させて、L型アーム（２１１）の他端に連結した連結ワイヤー（２２１）を引っ張り、回転板（１０２）をストッパーアーム（１０８）がストッパー（１０７）と係合するまで回転させ、駆動バネ（１０４）を付勢して地震感知モードにセットできるように構成されたことを特徴とする請求項１記載の地震時自動解錠システム（１）。
【請求項４】
前記連結装置（２００）の固定連結部（２１０）と前記スライド連結部（２５０）は、引き戸の開閉に伴い相互に摺動接触し或いは摺動離反するように構成されたことを特徴とする請求項１記載の地震時自動解錠システム（１）。
【請求項５】
前記解錠装置（３００）は、巻着されたゼンマイバネ（３０２）と前記解錠ワイヤー（２５３）が連結され、解錠状態或いは施錠状態とも解錠ワイヤー（２５３）に弛みが生じないように構成されたことを特徴とする請求項１記載の地震時自動解錠システム（１）。
【発明の詳細な説明】
【技術分野】
【０００１】
本発明は電気を使用せずに、地震発生時に引き戸の錠を内側からバネの張力により自動的に解錠する地震時自動解錠システムに関する。特に引き戸の錠のサムターンを、従来の地震時自動解錠装置よりスムーズに解錠させることが可能な地震時自動解錠システムに関する。
【背景技術】
【０００２】
町内会等で救命救急機器等の保管庫が設置されている。各自治体も積極的に補助金を出して救命機器や保管庫の設置を勧めている。しかし保管庫の引き戸は通常、防犯のために常に施錠されているので合い鍵が無いと引き戸を開くことができない状態にある。従って強震で民家が倒壊した場合には、中に閉じ込められた人を救出するために必要な器具を保管庫から取り出そうとしても合い鍵がないと取り出せない。
【０００３】
その場合の対策方法として、各町内会等における現状ではそれぞれに次のような幾つかの方法を講じている。
１．合い鍵を複数個作り数名の関係者が保管している。
２．合い鍵を保管庫の近くか、または人目につかないところに隠しておき、関係者だけが判るようにしておく。
３．暗証番号で解錠できる錠を取り付ける。
４．保管庫の近くの民家に合い鍵を預けておく。
５．鍵をかけずにいつでも引き戸が開けられるようにしておく。
以上のごとく方法を講じているが、上記第５項以外は何れも激震時に対応することは困難な場合があるものと思われる。また、近年は高齢化に伴い合い鍵の預かり手がなく困っている自治会や町内会が多くあるので、やむなく上記第２項以下の方法をとっている自治会や町内会が増えている。
【０００４】
この問題に対して、従来例１として実用新案登録第3144509では、地震を感知して鋼板製物置小屋の錠を自動的に確実に解錠する解錠装置が開示されている。これは地震を感知する振り子式錘を利用したものである。しかしながらこの装置では、戸当り面の内側に本装置を設置するため戸の開閉による振動も感知してしまい使い勝手が悪いという不具合を有していた。また従来例２として実用新案登録第3145311号でも、同様な技術的思想に基づく解錠装置が開示されているが、引例１と同様な不具合を有している。また従来例３として実用新案登録第3148810号でも、同様な技術的思想に基づく解錠装置が開示されているが、引例１と同様な不具合を有している。更にこれ等の引例に開示されている地震感知装置では、地震感知後、解錠に至る各部材の動作が直線的であり、このために周辺部材との摩擦抵抗が大きく、従ってスムーズに解錠動作が行われないと言う不具合を有している。
【０００５】
上記のような不具合に対応するために引例４として本願出願人による特開2010-222843では、地震を感知する地震感知装置を小屋の内部壁面に設置し、引き戸には解錠装置を設け、この地震感知装置と解錠装置を連結ワイヤーで連結する連結装置から構成した自己解錠装置が開示されている。この装置では地震感知装置が小屋の内部壁面に設置されているために、地震感知装置は地震のみを感知するために引例１から引例３での不具合は解消されている。また引例５として特開2011-1788でも類似の構成が開示されている。
【０００６】
しかしながらこれ等引例４および引例５においても、地震感知装置内で地震を感知した場合、付勢されたバネ力が解放され周辺部材を直線的に引っ張るために摩擦抵抗が大きく、そのため地震感知装置内でスムーズに解錠動作が行われないという不具合が依然として解決されていなかった。更にこの地震感知装置と解錠装置を連結する連結装置においても、単に連結ワイヤーに連結した周辺部材が直線的に動作するため、周辺部材間の摩擦抵抗が大きく、この点においてもスムーズに解錠されないという問題も有していた。このため折角地震感知装置で高感度に感知された地震発生事態でも、肝心の解錠装置へ解錠動作がスムーズに伝達されないという構造的な欠点を依然として有していた。またこれ等の引例では、解錠装置内部でも解錠動作が十分スムーズに行われないという問題を有していた。また更に従来の地震感知装置が例えば物置小屋に設置されている場合、地震発生時にこの装置が動作する地震感知モードにセットするのを忘れて引き戸を閉じて施錠してしまえば、折角の装置も価値が無くなってしまうという重大な欠陥を有しているが、この欠陥に対しても特段の配慮が払われていないという問題を有していた。
【先行技術文献】
【特許文献】
【０００７】
【特許文献１】実用新案登録第3144509 号
【特許文献２】実用新案登録第3145311号
【特許文献３】実用新案登録第3148810号
【特許文献４】特開2010-222843号
【特許文献５】特開2011-1788 号
【発明の概要】
【発明が解決しようとする課題】
【０００８】
本願発明は上述のような従来技術に係る解錠装置における問題を解決するために、
（１）地震感知装置内では各部材が直線動作ではなく回転動作により、感知動作をスムーズに行うことができる構成とし、
（２）地震感知装置と解錠装置とを連結する連結装置でも、部材の直線動作ではなく回転動作により連結動作をスムーズに行うことができる構成とし、
（３）更に解錠装置でも、付勢されたゼンマイバネにより解錠動作をスムーズに行うことができる構成とし、
（４）更にこのシステムが地震時に確実に動作するように、引き戸を閉める前に地震感知装置の動作セットするのを忘れた場合には、引き戸が閉鎖できないという規制板を付加した構成とする地震時自動解錠システムを提供することを目的とする。
【課題を解決するための手段】
【０００９】
本願発明の地震時自動解錠システムは、地震を振り子式錘の揺動により地震を感知する地震感知装置と、引き戸の錠に設けられた解錠装置と、地震感知装置と解錠装置とを連結ワイヤーにより連結する連結装置、とで構成された地震発生時に引き戸の錠を内側からバネの張力により自動的に解錠するように構成されている。この地震感知装置は、振り子式錘の振幅により地震感知をすると、係止されていたストッパーがストッパーアームから開放され、駆動バネにより付勢された回転板が回転することにより、前記連結装置の連結ワイヤーが引っ張られるように構成されている。従って回転板が回転することにより駆動バネが解錠動作のために引っ張られるので、従来の直線的な動作ではなく回転動作により連結ワイヤーが引っ張られるので、スムーズな動作が可能となる。
【００１０】
更に連結装置では、前記引っ張られた連結ワイヤーに連結した固定連結部のＬ型アームの一端のアームが、Ｌ型アーム軸を中心に反時計回りに回転し、この回転したＬ型アームの他端のアーム上に設けられた引き上げローラが、摺動接触するスライド連結部の引き上げ板上方へ持ち上げることにより解錠ワイヤーを引き上げるように構成されているので、上記の地震感知装置内での動作と同様にスムーズな連結動作が可能となる。また更にこのシステムが地震時に確実に動作するように、引き戸を閉める前に地震感知装置の動作セットするのを忘れた場合には、引き戸が閉鎖できないという規制板を引き戸と戸当り柱の間隙に付加したので、セットのし忘れ防止ができる構成となっている。
【００１１】
また更に前記解錠装置には、巻着されたゼンマイバネ経由で解錠ワイヤーが連結されているので、解錠状態或いは施錠状態とも解錠ワイヤーに弛みが生じない構成となっている。従って地震感知装置の駆動バネの復元力によりサムターンを一気に回転させることが可能である。
【００１２】
なお地震感知装置は、セットハンドルを手動回転させること、またはセット吊輪を引き下げることで、ストッパーアームがストッパーと係合する位置まで回転板を回転して駆動バネを付勢しているので、簡単に地震感知装置を地震感知モードにセットすることが可能となる。
【００１３】
また連結装置の固定連結部とスライド連結部は、引き戸の開閉に伴い相互に摺動接触し或いは摺動離反するように構成されているので、引き戸が閉鎖状態にあるときだけ連結され、この連結装置の設置前と同様に引き戸は自在に開閉可能となる。
【００１４】
また解錠装置は、巻着されたゼンマイバネと前記解錠ワイヤーが連結され、解錠状態或いは施錠状態とも解錠ワイヤーに弛みが生じないように構成されているので、安定した解錠および施錠動作をすることが可能となる。
【発明の効果】
【００１５】
地震感知装置と解錠装置と連結装置とが、従来例にあるように他部材と直線的な動作で摺れることなく回転動作を通して連結され、接続ワイヤーによりサムターンが回転されるため、地震発生時には、よりスムーズに解錠されるメリットを有する。また規制板を設けたことで、地震感知装置を地震感知モードに確実にセットすることが可能となる。
【図面の簡単な説明】
【００１６】
【図１】図１は、本願発明に係る地震時自動解錠システム１が設置された状態を表し、引き戸開放時の状態を物置内部から見た斜視図である。
【図２】図２は、本願発明に係る地震時自動解錠システム１が設置された状態を表し、引き戸閉鎖時の状態を物置内部から見た斜視図である。
【図３】図３は本願発明に係る地震感知装置１００の外観を表す斜視図である。
【図４】図４は本願発明に係る地震感知装置１００の地震待機時すなわち施錠時の状態を表す左斜視図である。
【図５】図５は本願発明に係る地震感知装置１００の地震待機時すなわち施錠時の状態を表す右斜視図である。
【図６】図６は本願発明に係る地震感知装置１００の地震待機時すなわち施錠時の状態を表す正面図である。
【図７】図７は本願発明に係る地震感知装置１００の地震発生時すなわち解錠時の状態を表す正面図である。
【図８】図８は引き戸が閉鎖される直前での、本願発明に係る連結装置２００を表す正面図である。図中、右側が固定連結部２１０、左側がスライド連結部２５０である。
【図９】図９は本願発明に係る連結装置２００の施錠時を表す正面図である。
【図１０】図１０は本願発明に係る連結装置２００の解錠時を表す正面図である。
【図１１】図１１の（Ａ）および（Ｂ）は本願発明に係る規制板２３０が、引き戸の閉鎖を規制するために水平状態にある場合の斜視図と断面図である。
【図１２】図１２の（Ａ）および（Ｂ）は本願発明に係る規制板２３０が、引き戸の閉鎖を許容して垂直状態にある場合の斜視図と断面図である。
【図１３】図１３は解錠装置３００の外観を表す斜視図である。
【図１４】図１４は本願発明に係る解錠装置３００の施錠時の状態を表す正面図である。
【図１５】図１５は本願発明に係る解錠装置３００の施錠時の状態を表す側面図である。
【図１６】図１６は本願発明に係る解錠装置３００の施錠時の状態を表す斜視図である。
【図１７】図１７は本願発明に係る解錠装置３００の解錠時の状態を表す斜視図である。
【図１８】図１８は本願発明に係る解錠装置３００内にあるゼンマイバネ３０２の手動施錠時の状態を表す正面図である。
【図１９】図１９は本願発明に係る解錠装置３００内にあるゼンマイバネ３０２の手動解錠時の状態を表す正面図である。
【図２０】図２０は本願発明に係る解錠装置３００内にあるゼンマイバネ３０２の自動解錠時の状態を表す正面図である。
【発明を実施するための形態】
【００１７】
図１は、本願発明に係る地震時自動解錠システム１が例えば引き戸を有する物置小屋内部に設置された状態を表し、引き戸開放時の状態を物置内部から見た斜視図であり、図２は、引き戸閉鎖時の状態を物置内部から見た斜視図である。すなわち本願の地震時自動解錠システム１は、地震感知装置１００と、連結装置２００と、解錠装置３００で構成されている。地震感知装置１００は、地震発生を感知する。そして地震を感知すると連結ワイヤー２２１を引っ張ることで連結装置２００を経由して解錠装置３００のサムターン３０５を回転させることで解錠する構成になっている。以下各装置について説明を行う。
【００１８】
図３は本願発明に係る地震感知装置１００の外観を表す斜視図である。また図４は地震感知装置１００の地震待機時すなわち施錠時の状態を表す左斜視図であり、図５は右斜視図である。図中で、手動で回転自在なセットハンドル１２７を時計回りに回転させることにより、ストッパーアーム１０８がストッパー１０７と係合し地震待機状態すなわち地震感知モードになる。更に図６および図７は、このセットハンドル１２７を取り外した状態での地震感知装置１００を表す平面図である。図６は地震待機時すなわち施錠時の状態であり、図７は地震発生時すなわち解錠時の状態を表している。なお地震感知装置１００を上記のように地震待機状態（地震感知モード）にするには、後述する連結装置２００のセット吊輪２１５を下方へ引き下げても可能である。また上記ストッパー１０７とストッパーアーム１０８が容易に係合離脱できるように、ストッパー１０７に回転コロを装着してもよい。
【００１９】
図５に示すベース１０１は、四角形の金属板で形成されており、取付け穴１０１ｃを有する取付け脚１０１ｂが４隅に形成されている。回転板１０２は、円形の金属板で形成されているが、合成樹脂材でもよい。図４および図５のセットハンドル１２７は、回転板に固着されており手で回転することでストッパー１０７をストッパーアーム１０８の爪部に係合させるものである。
【００２０】
連結ワイヤー２２１は回転板１０２に左端が固定されており、ワイヤーガイド１２２は、ワイヤー押え金１２３によりワイヤーストッパ１２４と共にベース１０１に取り付けられている。
【００２１】
図６に示すように、回転板軸１０３は、回転板１０２の回転中心に設けられており、一端はベース１０１に固定され軸支されている。ストッパーアーム軸１０９は、ストッパーアーム１０８を揺動自在に回転軸支するものであり、ベース１０１に固定されている。駆動バネ１０４は、回転板１０２を右へ手動回転させることにより付勢され、一端は回転板１０２に設けた駆動バネ上ポスト１０５に取り付けられており、他端はベース１０１に設けた駆動バネ下ポスト１０６に取り付けられている。
【００２２】
調節ネジ１１３は、押上げ棒１１５と調整受板１１４との間隙を調整することで振り子式錘１１８の振幅を変化させるものであり、振幅の微調整を行う目的に設けられている。調整受板１１４は、押上げ棒１１５と調整ネジ１１３の接触点を一線上に合わせるために設けられたものである。
【００２３】
係止バネ１１０は、ストッパーアーム１０８とストッパー１０７とを係合付勢させるものであり、一端はストッパーアーム１０８に取り付けられており、他端はベース１０１に取り付けられている。
【００２４】
振り子式錘１１８は、所定の重量に設定されており、中心に吊下げ軸１２０を介して押上げ円板１１２に取り付けられている。押上げ円板１１２は、錘受台１１７に取り付けられており、吊下げ軸１２０よりも径大に形成された開口部に吊下げ軸１２０が遥動自在に挿入されている。
【００２５】
受動板１１１は、押上げ円板１１２の遥動に追従して上下動するものであり、押上げ棒１１５が形成されており、ストッパーアーム１０８を押し上げるようになっている。押上げ棒１１５は、押上げ棒ガイド１１６により上下動自在にガイドされている。
【００２６】
以下地震感知装置１００の機能的な動作を図７で説明する。駆動バネ１０４は、回転板１０２の外周辺に駆動バネ上ポスト１０５により端着されている。地震発生により振り子式錘１１８が揺動することで、押上げ円板１１２が上下自由移動の受動板１１１を押し上げる。そして押上げ棒１１５が上方へ押上げられ、ストッパーアーム軸１０９で軸支されているストッパーアーム１０８が、ストッパー１０７との係合を解除させる。なお回転板１０２は、駆動バネ１０４により反時計回りに回転付勢されている。従って、回転板１０２の外周に設けられた溝に沿って左端が該回転板１０２に固定された連結ワイヤー２２１が、解錠装置３００を解錠させるために左方向へ引っ張られる。
【００２７】
地震発生により振り子式錘１１８が揺動することで、ストッパーアーム軸１０９で軸支されているストッパーアーム１０８が、ストッパー１０７との係合を解除し、駆動バネ１０４により反時計回りに回転付勢されている回転板１０２の外周に設けられた溝に沿って回転板１０２に固定された連結ワイヤー２２１が、左方向へ引っ張られ解錠装置３００を解錠することができる。この様に回転板１０２の回転動作により連結ワイヤー２２１が引っ張られるので、直線動作による従来の地震感知装置に比べ、動作が極めてスムーズに行われ、従って地震発生時に感度良く解錠のための動作を行うことが可能となる。
【００２８】
図８、図９、および図１０は、連結装置２００を表す正面図である。このうち図８は引き戸が閉鎖される直前での、本願発明に係る連結装置２００を表す正面図である。図中、右側が小屋本体に設置された固定連結部２１０、左側が引き戸に設置されたスライド連結部２５０である。図９は施錠時を表す正面図であり、図１０は解錠時を表す正面図である。この連結装置２００が、固定連結部２１０とスライド連結部２５０で構成されるのは、引き戸の開閉を自在にするためと、地震が感知された際、前記地震感知装置１００方向へ引っ張られる連結ワイヤー２２１の張力を、引き戸５２に設置された解錠装置３００へスムーズに伝達するためである。すなわち地震発生時には、連結ワイヤー２２１が地震感知装置１００側（図中の左）に引っ張られる。この場合、感震駆動装置１００と連結装置２００は、連結ワイヤー２２１で連結されており、図６の感震駆動装置１００内に設けられた駆動バネ１０４の付勢力を有効にこの連結装置２００の固定連結部２１０とスライド連結部２５０を経由して、解錠装置３００へ伝達するものである。
【００２９】
以下、連結装置２００の機能的な動作を図９および図１０で説明する。小屋の梁や柱に設置された固定連結部２１０には、Ｌ型アーム２１１がＬ型アーム軸２１２を中心に回動自在に設けられている。また引き上げローラ２１３がＬ型アーム２１１の下部アームの略中間点に設けられ、上部アームの先端は連結ワイヤー２２１により左方向へ引っ張られている。一方、引き戸側に設置されたスライド連結部２５０には、上下摺動可能なスライド棒２５１の頂部に引き上げ板２５２が設けられている。引き戸５２が閉方向（右方向）にスライドして閉まると、引き上げ板２５２が引き上げローラ２１３の上に摺動移動する。そして地震感知時に、地震感知装置１００の駆動バネ１０４の付勢力によって回転板１０２が左回転することで、この回転板１０２に一端が固定された前記連結ワイヤー２２１が左方向へ引っ張られる。図１０に示すようにこの連結ワイヤー２２１の他端が連結された固定連結部２１０のＬ型アーム２１１はＬ型アーム軸２１２を中心に回動すると、Ｌ型アーム２１１の下部アーム上に設けられた引き上げローラ２１３が上方向に引き上げられる。この引き上げローラ２１３の上方向への移動に伴い、引き上げローラ２１３と摺動接触する引き戸に設置されスライド連結部２５０の引き上げ板２５２が、上方に持ち上げられる。そしてこの持ち上げられた引き上げ板２５２と一体であるスライド棒２５１に連結された解錠ワイヤー２５３が上方へ引っ張られ、解錠装置３００が解錠される。なおＬ型アーム２１１の下部アームは、Ｌ型アームバネ２１４により後述する規制板２３０と連結されている。
【００３０】
上記構成により、地震が感知された場合、建物の内壁面に取り付けられた地震感知装置１００からの連結ワイヤー２２１が左方向へ引っ張られ、Ｌ型アーム２１１がＬ型アーム軸２１２を中心に回動し、解錠ワイヤー２５３が上方へスムーズに引っ張られるために、従来例による直線的な動作に伴う周辺部材との摩擦が減少し、結果としてスムーズな解錠動作が可能となる。すなわち地震感知装置１００における回転板１０２の回転動作と同様に、この連結装置２００でも、Ｌ型アーム２１１の回転動作により連結動作が極めてスムーズに行われ、従って地震発生時に感度良く解錠動作を行うことが可能となる。
【００３１】
次に図１１の（Ａ）および（Ｂ）は、本願発明に係る規制板２３０が引き戸の閉鎖を規制するために水平状態にある場合の斜視図と断面図であり、図１２の（Ａ）および（Ｂ）は、引き戸の閉鎖を許容して垂直状態にある場合の斜視図と断面図である。この規制板２３０は戸当り柱４１の内側に規制板軸２３１に回動自在に取り付けられ、地震感知装置１００が地震感知モードに未セットの状態では引き戸５２の閉鎖を規制する板である。すなわちこの規制板２３０が図１１（Ｂ）のように水平位置に回転すれば、引き戸５２と戸当り柱４１の間隙にこの水平位置まで回転した規制板２３０が入り込み邪魔となり、引き戸５２は完全には閉鎖できず、従って錠はロックすることができない。すなわち図７の地震感知装置１００の回転板１０２が反時計回りした位置で休んだ状態では（つまり地震感知モードへの未セットの状態）、図１１（Ａ）に示す連結ワイヤー２２１は左方向へ引張られた状態にあり、このためＬ型アーム２１１の右端は上方へ持ち上がった状態になり、Ｌ型アームバネ２１４が引張られている。そうすると規制板２３０は規制板軸２３１を回転軸として反時計回りに回動して、図１１（Ｂ）のように規制板２３０は水平方向を向くことになる。このようになると規制板２３０が邪魔になり引き戸５２は戸当り柱４１までは閉まらず、この物置小屋から最後に退出する者が、地震感知装置１００を地震感知モードにセットするのを忘れたまま引き戸５２を閉じてしまう事態を、確実に事前防止することが可能となる。
【００３２】
上記のように規制板２３０により引き戸５２が不用意に閉じられるのを事前に防止された場合には、この物置小屋から退出する者は、図１２（Ａ）に示すセット吊輪２１５を外から手を入れて下方へ引き下げる。そうするとＬ型アーム２１１は、Ｌ型アーム軸２１２を回転軸として時計回りに回転し、連結ワイヤー２２１が右に引かれ、地震感知装置１００は地震感知モードに確実にセットされる。この場合、Ｌ型アームバネ２１４はＬ型アーム２１１の右端が下がることで張力が解放された状態になり、規制板２３０は、Ｌ型アームバネ２１４から解放される。解放されると規制板２３０は、図示しない小さな別のバネで、時計回りに垂直になるまで回転し、図１２（Ｂ）に示すように引き戸５２が戸当り柱４１の位置まで閉鎖されるのを許容する。このように本願発明に係る規制板２３０により、引き戸を閉鎖して施錠する前、物置小屋を退出する者に、地震感知装置１００を地震感知モードに確実にセットさせることが可能となる。なお規制板２３０の形状は、図示した板状のものに限定せず、地震感知装置１００が未セットの場合に、引き戸５２の閉鎖を規制するものであれば如何なる形状でもよい。また地震感知装置１００のセットは、上述のようにセット吊輪２１５を下方へ引き下げても、また地震感知装置１００の図５に示すセットハンドル１２７を時計回りに回転してセットしてもよい。
【００３３】
図１３は本願発明に係る解錠装置３００の外観を表す斜視図であり、例えば既に引き戸に設置してある既設の錠３０１に後述のゼンマイバネ３０２を付加して構成されている。なお錠３０１は、例えばシリンダー錠であっても他のタイプの錠であってもよい。図１４は施錠時の状態を表す正面図であり、図１５は側面図である。なお 図１６は施錠時にゼンマイバネ３０２が手動で巻き取られた状態を表す斜視図であり、 図１７は解錠時にゼンマイバネ３０２が上方へ引っ張られた状態を表す斜視図である。ゼンマイバネ３０２は、地震感知装置１００の駆動バネ１０４のバネ力より小さなバネ力で、弛みの出ない程度に常に巻き取る方向に付勢されている。
【００３４】
連結装置２００の解錠ワイヤー２５３が地震時にゼンマイバネ３０２を引っ張ると、このゼンマイバネ３０２の終端に固着されたドラム３０３が回転し、同時にこのドラム３０３に固着されたサムターン３０５も回動し解錠される。すなわち前記サムターン３０５が回動すると、錠３０１の図示しない既存の機構によりフック３０６が連動し回動することで、係合穴３０７から解放され解錠する。この場合のゼンマイバネ３０２は、図２０のように上方へ引っ張られている。
【００３５】
次に再び施錠を行う場合は、図４に示すセットハンドル１２７を時計回りに回転させるか、図８に示す連結装置２００のセット吊輪２１５を手動で下方へ押し下げることで、連結ワイヤー２２１と連結された回転板１０２が時計回りに回転させ、ストッパーアーム１０８の爪部をストッパー１０７に係合させる。その後、鍵３０８を錠３０１に挿入して施錠方向に回すとフック３０６が前記係合穴３０７に廻り込み施錠状態となる。
【００３６】
地震感知されると連結装置２００の解錠ワイヤー２５３が上方へ引っ張られるに従い、図１７に示すように、ドラム３０３に巻着されているゼンマイバネ３０２は、解錠のために上方へ引き上げられる。そして再び施錠する場合には、セット吊輪２１５を下方へ引っ張ることにより、解錠ワイヤー２５３が下がり、図１９のようにゼンマイバネ３０２は僅かな緩みが出るが、バネの巻取り力により弛みの出ない程度にドラム３０３に巻き取られる。このように、本解錠装置３００に前記ゼンマイバネ３０２を用いた理由は、手操作で解錠する場合において前記ドラム３０３と該ゼンマイバネ３０２との間に隙間ができ、次に施錠する場合に該ドラム３０３に元どおり完着可能となるように用いたものである。従って、前記ゼンマイバネ３０２は柔軟性に優れ、元の形に戻る性質のものを使用するのがよい。
【産業上の利用可能性】
【００３７】
本願発明に係る地震時自動解錠システム１では、従来技術に係る地震時自動解錠装置と異なり地震発生時には、地震感知部１００では、振り子式錘１１８が揺動することでストッパーアーム軸１０９で軸支されているストッパーアーム１０８がストッパー１０７との係合を解除し、反時計回りに回転付勢された回転板１０２に回転連結された連結ワイヤー２２１が、従来技術の直線運動とは異なり円運動でスムーズに左方向へ引っ張られ、解錠装置３００を解錠することができる。更に連結装置２００でも、連結ワイヤー２２１が左方向へ引っ張られ、Ｌ型アーム２１１がＬ型アーム軸２１２を中心に回動することで、解錠ワイヤー２５３が上方へスムーズに引っ張られるために、従来例による直線的な動作に伴う周辺部材との摩擦が減少し、結果としてスムーズな解錠動作が可能となる。なおこの連結装置２００では更に、万一、物置小屋から最後に退出する者が、地震感知装置１００を地震感知モードにセットするのを忘れたまま引き戸５２を閉じようとしても、規制板２３０が邪魔になり引き戸５２は戸当り柱４１までは閉まらない構造となっている。このため引き戸を地震感知モードに未セットのまま閉じてしまう事態を、確実に事前防止することが可能となる。また更に解錠装置３００では、ゼンマイバネ３０２により施錠時および解錠時には常に該ドラム３０３に緩やかに巻き取られるので、他の部材との無用な干渉が無くサムターンがスムーズに回転可能となる。なお本願発明に係る地震時自動解錠システム１は、自治体・自治会・町内会等で所有する救命救助機具保管庫に用いれば、強地震で民家が倒壊した場合の人命救助に役立つものと思われる。
【符号の説明】
【００３８】
１      地震時自動解錠システム
４１    戸当り柱
５２    引き戸
１００  地震感知装置
１０１  ベース
１０１ｂ  取付け脚
１０１ｃ  取付け穴
１０２  回転板
１０３  回転板軸
１０４  駆動バネ
１０５  駆動バネ上ポスト
１０６  駆動バネ下ポスト
１０７  ストッパー
１０８  ストッパーアーム
１０９  ストッパーアーム軸
１１０  係止バネ
１１１  受動板
１１２  押上げ円板
１１３  調節ネジ
１１４  調整受板
１１５  押上げ棒
１１６  押上げ棒ガイド
１１７  錘受台
１１８  振り子式錘
１２０  吊下げ軸
１２２  ワイヤーガイド
１２３  ワイヤー押え金
１２４  ワイヤーストッパ
１２７  セットハンドル
２００  連結装置
２１０  固定連結部
２１１  Ｌ型アーム
２１２  Ｌ型アーム軸
２１３  引き上げローラ
２１４  Ｌ型アームバネ
２１５  セット吊輪
２２１  連結ワイヤー
２３０  規制板
２３１  規制板軸
２５０  スライド連結部
２５１  スライド棒
２５２  引き上げ板
２５３  解錠ワイヤー
３００  解錠装置
３０１  錠
３０２  ゼンマイバネ
３０３  ドラム
３０５  サムターン
３０６  フック
【図１】
0005547782.tif 000002
【図２】
0005547782.tif 000003
【図３】
0005547782.tif 000004
【図４】
0005547782.tif 000005
【図５】
0005547782.tif 000006
【図６】
0005547782.tif 000007
【図７】
0005547782.tif 000008
【図８】
0005547782.tif 000009
【図９】
0005547782.tif 000010
【図１０】
0005547782.tif 000011
【図１１】
0005547782.tif 000012
【図１２】
0005547782.tif 000013
【図１３】
0005547782.tif 000014
【図１４】
0005547782.tif 000015
【図１５】
0005547782.tif 000016
【図１６】
0005547782.tif 000017
【図１７】
0005547782.tif 000018
【図１８】
0005547782.tif 000019
【図１９】
0005547782.tif 000020
【図２０】
0005547782.tif 000021